(57)【特許請求の範囲】
【請求項１】
部品装着装置において、
基板へ部品を装着する装着部と、
前記装着部へ前記部品を供給する部品供給装置と、を有し、
前記部品供給装置は、
前記部品を収納した部品収納部を搬送する搬送部と、
前記部品収納部のカバーテープを前記搬送部の搬送方向と平行に切断する切断部と、
前記切断されたカバーテープを押し開くカバーテープ開口部と、
押し開かれたカバーテープの向きを前記部品収納部の外側でかつ、前記搬送方向に対して下方向へ変更するための、水平方向に対して傾斜したガイドと、
前記ガイドによって向きが変更されたカバーテープを収納するポケットと、
前記切断部より後ろに配置された部品取出し孔と、を有し、
さらに、
前記装着部は、前記部品取出し孔から前記部品を取出し、前記基板へ前記部品を装着することを特徴とする部品装着装置。
【請求項２】
請求項１に記載の部品装着装置において、
前記カバーテープ開口部は、
前記切断部より後ろに配置されていることを特徴とする部品装着装置。
【請求項３】
請求項１に記載の部品装着装置において、
前記切断部は、
前記カバーテープを複数の箇所で切断することを特徴とする部品装着装置。
【請求項４】
請求項１に記載の部品装着装置において、
前記切断部は、前記カバーテープの部品収納部より外側、かつ前記カバーテープが接着された領域より内側の部分を切断することを特徴とする部品装着装置。
【請求項５】
請求項１に記載の部品装着装置において、
前記切断部は、前記カバーテープの第１の部分と前記第１の部分より後ろの第２の部分とを切断することを特徴とする部品装着装置。
【請求項６】
請求項１に記載の部品装着装置において、
前記切断部は、前記カバーテープの中央である第１の部分と、前記第１の部分より後ろかつ左外側の第２の部分と、前記第１の部分より後ろかつ右外側の第３の部分と、を切断することを特徴とする部品装着装置。
【請求項７】
請求項１に記載の部品装着装置において、
前記部品供給装置は、
前記切断部の温度を計測する第１の温度計測部と、
前記第１の温度計測部の計測結果に基づいて前記切断部の温度を制御する第１の温度制御部を有することを特徴とする部品装着装置。
【請求項８】
請求項１に記載の部品装着装置において、
前記部品供給装置は、
前記部品供給装置の温度を計測する第２の温度計測部と、を有し、
前記第２の温度計測部の計測結果に基づいて前記切断部の温度を制御する第２の温度制御部を有することを特徴とする部品装着装置。
【請求項９】
部品装着装置に用いられる部品供給装置において、
前記部品を収納した部品収納部を搬送する搬送部と、
前記部品収納部のカバーテープを前記搬送部の搬送方向と平行に切断する切断部と、
前記切断されたカバーテープを押し開くカバーテープ開口部と、
押し開かれたカバーテープの向きを前記部品収納部の外側でかつ、前記搬送方向に対して下方向へ変更するための、水平方向に対して傾斜したガイドと、
前記ガイドによって向きが変更されたカバーテープを収納するポケットと、を有することを特徴とする部品供給装置。
【請求項１０】
請求項９に記載の部品供給装置において、
前記切断部より後ろに配置された部品取出し孔を有することを特徴とする部品供給装置。
【請求項１１】
請求項９に記載の部品供給装置において、
前記カバーテープ開口部は、
前記切断部より後ろに配置されていることを特徴とする部品供給装置。
【請求項１２】
請求項９に記載の部品供給装置において、
前記切断部は、
前記カバーテープを複数の箇所で切断することを特徴とする部品供給装置。
【請求項１３】
請求項９に記載の部品供給装置において、
前記切断部は、
前記カバーテープの、部品収納部より外側、かつ前記カバーテープが接着された領域より内側の部分を切断することを特徴とする部品供給装置。
【請求項１４】
請求項９に記載の部品供給装置において、
前記切断部は、
前記カバーテープの第１の部分と、
前記第１の部分より後ろの第２の部分と、を切断することを特徴とする部品供給装置。
【請求項１５】
請求項９に記載の部品供給装置において、
前記切断部は、
前記カバーテープの中央である第１の部分と、
前記第１の部分より後ろ、かつ左外側の第２の部分と、
前記第１の部分より後ろ、かつ右外側の第３の部分と、を切断することを特徴とする部
品供給装置。
【請求項１６】
請求項９に記載の部品供給装置において、
前記切断部の温度を計測する第１の温度計測部と、
前記第１の温度計測部の計測結果に基づいて前記切断部の温度を制御する第１の温度制御部を有することを特徴とする部品供給装置。
【請求項１７】
請求項９に記載の部品供給装置において、
前記部品供給装置内の温度を計測する第２の温度計測部と、を有し、
前記第２の温度計測部の計測結果に基づいて前記切断部の温度を制御する第２の温度制御部を有することを特徴とする部品供給装置。
【発明の詳細な説明】
【技術分野】
【０００１】
本発明は、部品装着装置，部品供給装置に関する。
【０００２】
例えば、電子部品を収納する部品収納部が所定の間隔で並んで形成されたキャリアテープと、部品収納部からの部品飛び出し防止のためにキャリアテープに形成された部品収納部を覆うように設けられたカバーテープからなる部品収納テープを、収納テープリールに巻き付けられた状態で順次繰り出して部品取出し位置まで間欠送りするテープ送り装置と、取り出し位置の直前で電子部品を露出させて電子部品を取出し可能にする電子部品露出装置と、を備える部品供給装置、及び、それを用いた部品装着装置に関する。
【背景技術】
【０００３】
図１から図３を用いて、従来の部品供給装置を示す。
【０００４】
図１は従来の部品供給装置を示す概略図、図２は従来の電子部品露出装置を説明する断面図、図３は従来の部品収納テープ構造を示す説明図である。
【０００５】
図１に示すように、収納テープリール２に巻き付けられた部品収納テープ１は、図示していないガイドにより支持されながら、送り装置３により矢印Ａや矢印Ｂの方向に搬送される。収納テープリール２と送り装置３の間に設けられた電子部品露出装置７は、電子部品を部品収納部に保持しているキャリアテープからカバーテープ６を剥離させることにより、電子部品を露出させる。
【０００６】
露出させられた電子部品は、部品吸着装着装置９が矢印Ｄのように上下に移動することにより、部品吸着装着装置９の先端部に保持させられる。剥離させられたカバーテープ６は、カバーテープ送り装置８により矢印Ｃの方向へ搬送させられて図示しない収納庫などに収納される。
【０００７】
カバーテープ６を剥離させられたキャリアテープは、矢印Ｂのようにカッター部４へ搬送され、カッター部の動作により裁断される（例えば、特許文献１参照）。
【０００８】
図１の部品供給装置では、部品収納テープ１の搬送は、送り装置３による搬送力と、収納テープリール２や電子部品露出装置７やカバーテープ送り装置８，カッター部４などの搬送抵抗力とのバランスにより行われている。故に搬送力あるいは搬送抵抗力を所定の範囲に設定することにより、部品収納テープ１の搬送精度を保持している。
【０００９】
図２を用いて電子部品露出装置を説明する。
【００１０】
図２は、電子部品露出装置７の断面図を示す。
【００１１】
部品収納テープ１はキャリアテープ１０とカバーテープ６で構成されている。
【００１２】
また電子部品露出装置７は、カバーテープ６をキャリアテープ１０から剥離させるカバーテープ剥離部１２と電子部品を取出すための部品取出し孔１１と、から成っている。
【００１３】
カバーテープ６は、カバーテープ剥離部１２の形状に沿うように巻き付けられていて、キャリアテープ１０が移動する際に、キャリアテープ１０から剥離させられるように移動させられるようになっている。
【００１４】
図３を用いて部品収納テープを説明する。
【００１５】
部品収納テープ１は、キャリアテープ１０とカバーテープ６と、から成っている。
【００１６】
キャリアテープ１０は、電子部品（図示せず）を収納する部品収納部１３と、部品収納テープ１を移動させる搬送力をキャリアテープ１０に作用させる送り孔と、から成っている。
【００１７】
カバーテープ６は、部品収納部１３の搬送方向と直交する方向の両側にて、キャリアテープ１０と接着あるいは融着され、部品収納部１３の中に封入された電子部品がキャリアテープ１０から飛び出すことが無いようにしている。
【００１８】
図１に示す従来の部品供給装置では、収納テープリール２の部品収納テープ１が無くなった時には、部品収納テープ１の補充を行わなければならない。
【００１９】
補充をするためには、空になった収納テープリールを取外して、新たな収納テープリール２と交換するとともに、部品収納テープの後端と先端とをテープ等で接続するとともに、キャリアテープ１０から剥離させられたカバーテープ６を除去しなければならない。
【００２０】
このカバーテープ６を除去する作業は、相当の手間を要する課題があった。
【００２１】
また、カバーテープ６を剥離させるための剥離力を発生させるためのカバーテープ送り装置８を必要とするため、部品供給装置が大型化および複雑化する課題があった。
【００２２】
これらの課題を解決する手段として、特許文献１は、収納テープリール２と送り装置３の間に、部品収納テープ１の表面に装着されたカバーテープ６を、その中央部から両側の方向へ部分的に剥離させる剥離手段を設けることによって、カバーテープ送り装置８によるカバーテープ６の回収を不要にできる手段を提供するものである。
【００２３】
特許文献２は、カバーテープ６の中央部を切って分割する手段を設け、分割したカバーテープ６をめくり返す手段を設けている。カバーテープ６を切って分割する手段と、分割したカバーテープ６をめくり返す手段を設けることにより、カバーテープ６をキャリアテープ１０から剥離させること無く、電子部品を露出させることを可能としている。
【先行技術文献】
【特許文献】
【００２４】
【特許文献１】特開平４−２２１９６号公報
【特許文献２】米国特許第６，４０２，４５２号公報
【発明の概要】
【発明が解決しようとする課題】
【００２５】
しかしながら、本発明では従来技術には例えば以下の課題があることを見出した。
（１）特許文献１は、供給リールとピッチ送り手段との間にカバーテープ剥離手段を設けているため、部品収納テープを搬送した際に収納テープリールの巻かれている部品収納テープの巻き径が変化すると、収納テープリールから受ける搬送抵抗力が変化し、部品収納テープを搬送する搬送精度が悪化する可能性がある。
（２）特許文献１は、部品収納テープは、ピッチ送り手段のみで、搬送されるように構成されているため、手動で部品収納テープを供給し、電子部品を露出させることが必要である。さらにカバーテープを切断する手段として、カッターを設けているが、カッターの刃が下向きに構成されており、カッターの刃をカバーテープの上面に押し付けることによりカバーテープを切断するようになっている。カッターの刃をカバーテープに押し付ける方法でカバーテープを切断しようとした場合、カバーテープにより覆われている電子部品をカッターの刃によって損傷させる恐れや、カバーテープがカッターの刃を押し付ける方向に逃げてカバーテープを切断できない可能性がある。
（３）特許文献１や特許文献２に記載の例では、カバーテープをキャリアテープから部分的に剥離させる手段として、剥離手段の先端部を鋭いエッジとして、カバーテープの中央部分を切断して、カバーテープを両側にめくり返すようにしている。
【００２６】
この先端部を鋭いエッジとした剥離手段は、カバーテープの下面から切断するため、カバーテープを上方に押し上げる力を作用させるため、このカバーテープを押し上げる力がカバーテープとキャリアテープの接着力を上回る場合、カバーテープをキャリアテープから完全に剥離させる可能性がある。
（４）大部品を収納する部品収納テープの場合、カバーテープの幅も広くなるために、特許文献１の場合、中央で切断したとき、テープ上でカバーテープを折りたたむことは困難である。
（５）特許文献２の場合、カバーテープを片側に押し上げる構造となっているため、吸着ノズルと干渉する恐れがある。吸着ノズルとの干渉を避けるために、吸着ノズル位置を高位置に待機させざるを得ず、電子部品を吸着するための降下時間が長くなることにより、生産性を低下させる原因となる可能性がある。
【００２７】
そこで、本発明は、例えば以下の事項を目的とする。本発明は、以下の目的をそれぞれ独立して達成する場合もあれば、同時に達成する場合もある。
（１）部品収納テープの搬送精度を向上させる。
（２）電子部品の吸着を正確に行う。
（３）部品供給テープの幅が広くなっても、カバーテープの処理を確実に行う。
【課題を解決するための手段】
【００２８】
本発明は、部品装着装置，部品供給装置に関して、以下の特徴を有する。なお、本発明は、以下の特徴をそれぞれ独立して備える場合もあれば、複合して備える場合もある。
（１）本発明は、前記部品を収納した部品収納部を搬送する搬送部と、前記部品収納部のカバーテープを前記搬送部の搬送方向と平行に切断する切断部と、切断されたカバーテープの進行方向を前記搬送方向に対して下方向に変えるカバーテープ開口部と、を有することを特徴とする。
（２）本発明は、前記部品露出部より後ろに配置された部品取出し孔、を有することを特徴とする。
（３）本発明は、前記カバーテープ開口部は、前記切断部より後ろに配置されていることを特徴とする。
（４）本発明は、前記カバーテープ開口部の形状は、前記切断部が前記カバーテープを切断する際に形成される形状と対応していることを特徴とする。
（５）前記切断部は、前記カバーテープを複数の箇所で切断することを特徴とする。
（６）前記切断部は、前記カバーテープの、部品収納部より外側、かつ前記カバーテープが接着された領域より内側の部分を切断することを特徴とする。
（７）前記切断部は、前記カバーテープの第１の部分と、前記第１の部分より後ろの第２の部分と、を切断することを特徴とする。
（８）前記切断部は、前記カバーテープの中央である第１の部分と、前記第１の部分より後ろ、かつ左外側の第２の部分と、前記第１の部分より後ろ、かつ右外側の第３の部分と、を切断することを特徴とする。
（９）前記部品供給装置は、前記切断部の温度を計測する第１の温度計測部と、前記第１の温度計測部の計測結果に基づいて前記切断部の温度を制御する第１の温度制御部を有することを特徴とする。
（１０）前記部品供給装置は、前記部品供給装置の温度を計測する第２の温度計測部と、を有し、前記第２の温度計測部の計測結果に基づいて前記切断部の温度を制御する第２の温度制御部を有することを特徴とする。
【発明の効果】
【００２９】
本発明は例えば以下の効果を奏する。なお、本発明は以下の効果を独立して奏する場合もあれば、同時に奏する場合もある。
（１）部品収納テープの搬送精度を向上させることができる。
（２）電子部品を吸着位置まで精度よく移動させ、電子部品の吸着を正確に行うことができ、生産性の高い部品供給装置，部品装着装置を提供することが可能となる。
（３）部品収納テープの自動供給が可能となる。
（４）装置構造を単純化することが可能となる。
（５）電子部品と舌部との干渉を避けることができ、電子部品の損傷や電子部品の露出の信頼性を向上させることが可能となる。
（６）カバーテープをキャリアテープから完全に剥離させることなく電子部品を露出させることができるため、カバーテープとキャリアテープを一括して回収することができるため、作業性を向上させることが可能である。
（７）部品を吸着できるようにカバーテープを開口することが可能である。
【００３０】
本発明の上記特徴及び上記しない特徴は、以下の記載により、さらに説明される。
【図面の簡単な説明】
【００３１】
【図１】従来の電子部品供給装置を説明する概略説明図。
【図２】従来の電子部品露出装置を説明する概略説明図。
【図３】従来のキャリアテープの構造を説明する斜視図。
【図４】電子部品露出装置を備える電子部品装着装置の概略説明図。
【図５】電子部品供給装置を説明する概略説明図。
【図６】実施例２の部品供給装置の概略構成。
【図７】電子部品露出装置を説明する斜視図。
【図８】電子部品露出装置を説明する断面図。
【図９】電子部品露出装置を説明するＡＡ−ＡＡ断面図。
【図１０】電子部品露出装置を説明するＢＢ−ＢＢ断面図。
【図１１】電子部品露出装置を説明するＣＣ−ＣＣ断面図。
【図１２】部品供給テープが幅広である場合に対応する構造を説明する図。
【図１３】カバーテープ切断手段の他の一例を示す図。
【図１４】カバーテープ開口手段３３ａの構造を示す図。
【図１５】カバーテープ切断手段の他の一例を示す図。
【図１６】カバーテープ開口手段３３ｂの構造を示す図。
【発明を実施するための形態】
【００３２】
以下、図面を用いて本実施例に係る部品装着装置，部品供給装置について以下説明する。
【実施例１】
【００３３】
図４は本実施例の電子部品装着装置５０の平面図である。
【００３４】
電子部品装着装置５０の基台５９上に種々の電子部品をそれぞれの電子部品の取出し位置（部品吸着位置）に１個ずつ供給する部品供給装置５３の一部が着脱可能に複数個並んで設置固定されている。
【００３５】
対向する部品供給装置５３群の間には、基板搬送コンベア５１が設けられている。基板搬送コンベア５１は、矢印Ｆの方向から搬送されてくる基板を所定の位置に位置決めして、基板５２上に電子部品が装着された後、矢印Ｇの方向に搬送する。
【００３６】
５５は、基板５２が搬送される方向と同方向に長い一対のＸビームであり、その両端部には図示していないアクチュエータ（例えば、リニアモータなど）が取付けられている。
【００３７】
このアクチュエータによりＸビーム５５は、基板５２が搬送される方向と直交する方向に、Ｙビーム５７に沿って移動可能に支持されており、部品供給装置５３と基板５２との間を行き来することが可能である。
【００３８】
さらにＸビーム５５には、図示していないアクチュエータ（例えば、リニアモータなど）により、Ｘビーム５５の長手方向に、Ｘビームに沿って移動する部品吸着装着装置５４が設置されている。
【００３９】
部品供給装置５３と基板搬送コンベア５１との間には、認識カメラ５６とノズル保管部５８が配置されている。
【００４０】
認識カメラ５６は、部品供給装置５３にて部品吸着装着装置５４に吸着した電子部品の形状や位置ずれ情報を取得するためのもので、電子部品が基板搬送方向及び基板搬送方向と直交する方向にどれだけ位置ずれしているか、また回転角度はどの程度かを電子部品を撮影することにより確認できる。言うまでもなく、撮影することにより、電子部品が吸着されているか否かを確認することもできる。
【００４１】
Ｘビーム５５及びＹビーム５７が並行して動作することにより、部品供給装置５３から基板５２上に移動する際に、部品吸着装着装置５４は認識カメラ５６上を通過させられ、前述した電子部品の位置ずれ情報を取得する。
【００４２】
ノズル保管部５８は、種々の電子部品を吸着及び装着するために必要な、部品吸着装着装置５４に取付けられた図示していない複数の吸着ノズルを保管しておくところである。
【００４３】
電子部品に対応した吸着ノズルを取付けるように指示された場合、部品吸着装着装置５４はＸビーム５５及びＹビーム５７の並行動作により、ノズル保管部５８まで移動させられ、吸着ノズルを交換する。
【００４４】
次に図５を用いて部品供給装置についてより具体的に説明する。
【００４５】
図５に示すように、収納テープリール２に巻き付けられた部品収納テープ１は、図示していない部品供給装置の筐体に設けられた部品収納テープを取込む取込口を介して、部品供給装置に取込まれ、図示していないガイドにより支持されながら、第２の送り装置２１により矢印Ａの方向に搬送される。
【００４６】
収納テープリール２は、取込口に取替え可能に保持固定されても良いし、部品供給装置から離れた位置に保持されても良い。
【００４７】
第２の送り装置２１は、例えば、部品収納テープ１に設けられた孔と嵌合する突起部を持つ歯車状のものであっても良いし、部品収納テープの上面と下面の挟み込む一対のローラを有して成るものであっても良い。
【００４８】
第１の送り装置３ａと第２の送り装置２１の間に設けられた電子部品露出装置２０は、電子部品を部品収納部に保持しているキャリアテープからカバーテープを部分的に剥離させることにより、電子部品を露出させる。
【００４９】
第１の送り装置３ａは、第２の送り装置と同様に、例えば、部品収納テープ１に設けられた孔と嵌合する突起部を持つ歯車状のものであっても良いし、部品収納テープの上面と下面の挟み込む一対のローラを有して成るものであっても良い。
【００５０】
露出させられた電子部品は、部品吸着装着装置９が矢印Ｄのように上下に移動することにより、部品吸着装着装置９の先端部に保持させられる。部品吸着装着装置９が電子部品を先端部に保持する装置は、真空圧やチャック機構などであっても良い。
【００５１】
部分的に切断させられたカバーテープは、第１の送り装置３ａと第２の送り装置２１により矢印Ｂの方向へキャリアテープとともにカッター部４へ搬送され、カッター部の動作により裁断される。
【００５２】
図５の部品供給装置では、部品収納テープ１は、第２の送り装置２１により、電子部品露出装置２０に送り込まれる。
【００５３】
ここで、第１の送り装置３ａと第２の送り装置２１との距離を近接させた場合、部品収納テープ１の剛性などテープ状態に依存することなく確実に電子部品露出装置２０に挿入することができる。
【００５４】
また、収納テープリール２と第２の送り装置２１との距離が長くなった場合には、図示していないが、一個以上の第３の送り装置を別途設けても良い。
【００５５】
これにより、部品供給装置や部品供給システムが大型化した場合も精度良い部品収納テープの搬送が可能となる。
【実施例２】
【００５６】
図６を用いて実施例２の部品供給装置の概略構成を説明する。
【００５７】
実施例１と異なる点は、第２の送り装置２１が電子部品露出装置２０と近接していることである。
【００５８】
近接の例示としての表現としては、収納テープリール２から第２の送り装置２１までの搬送距離より、第２の送り装置２１から電子部品露出装置２０までの距離が短い場合と表現することができる。
【００５９】
電子部品露出装置２０と第２の送り装置２１が近接することにより、電子部品を部品収納部に保持しているキャリアテープからカバーテープを部分的に切断させるために必要なカバーテープ搬送力を第２の送り装置２１により安定して供給することが可能となり、電子部品を安定して露出させることが可能となる。
【００６０】
図６の部品供給装置では、部品収納テープ１は、第２の送り装置２１により、電子部品露出装置２０に送り込まれる。
【００６１】
部品収納テープ１の剛性などテープ状態に依存することなく確実に第２の送り装置２１まで部品収納テープ１を搬送させるために、図示していない一個以上の第３の送り装置を第２の送り装置２１と収納テープリール２との間に別途設けてもよい。
【００６２】
これにより、部品供給装置や部品供給システムが大型化した場合も精度良い部品収納テープの搬送が可能となる。
【００６３】
図７，図８を用いて実施例１，実施例２に用いられる電子部品露出装置２０の詳細を説明する。
【００６４】
図７は電子部品露出装置２０の斜視図である。
【００６５】
部品収納テープ１（カバーテープは明示せず）の上面側に、電子部品露出装置２０は配置される。
【００６６】
電子部品露出装置２０は、カバーテープの下面とキャリアテープとの間に挿入されてカバーテープ６をカバーテープ切断手段へガイドする舌部３１と、舌部３１によってカバーテープ切断手段へ導かれるカバーテープ６の両端部を押えるカバーテープ押え手段３０と、カバーテープ切断手段により切断分割されたカバーテープ６を両側に広げて、電子部品を露出させるカバーテープ開口装置３３と、カバーテープ開口装置３３により露出させられた電子部品をキャリアテープ１０の部品収納部から取出すための部品取出し孔３４と、から成っている。
【００６７】
図８は、電子部品露出装置２０の断面図である。電子部品露出装置２０は、搬送方向に対して順に、カバーテープ押え手段３０，カバーテープ切断手段３２，カバーテープ開口手段３３，部品取出し孔３４を備える。さらに、カバーテープ切断手段３２の下には舌部３１が配置されている。
【００６８】
図９に電子部品露出装置２０を説明した図６中のＡＡ−ＡＡ断面を示し、電子部品露出装置２０が備えるカバーテープ切断手段３２について説明する。
【００６９】
カバーテープ切断手段３２は、カバーテープをカバーテープ切断手段３２に導く舌部３１と連続して設けられている。ここで、カバーテープ切断手段３２と舌部３１とは一体に形成されていても良い。
【００７０】
また舌部３１により導かれたカバーテープを切断して分割するために、カバーテープ切断手段３２の刃の部分は、カバーテープの下面側に刃が向かうように上向きに設定されている。
【００７１】
また、カバーテープ切断手段３２の刃は、部品収納テープ１を搬送する抵抗を軽減するために、傾斜した構造となっている。
【００７２】
また、カバーテープ切断手段３２は図９に示す通り搬送方向に対して平行（別の表現としては搬送方向に対応した方向）に、カバーテープを切断していく。
【００７３】
また、カバーテープ切断手段３２の刃の部分は、舌部３１の下面にでておらず、電子部品は、舌部３１の下面に在って刃と接触しない構成となっている。つまり、例示の表現としては、カバーテープ切断手段３２の刃より下に、舌部３１の下面が配置されている。
【００７４】
また、カバーテープ切断手段３２の刃の切れ味を持続させるために、図示していない加熱装置により、刃の部分を加熱してもよい。
【００７５】
また、刃の温度を計測する第１のセンサを設けて、第１のセンサの計測結果に基づいて加熱装置を制御しても良い。
【００７６】
この場合は、周囲の部品に影響を与える程の温度上昇を防ぎつつ、刃の切れ味を持続させることができる。
【００７７】
また、装置内の温度を計測する第２のセンサを設けて、第２のセンサの計測結果に基づいて加熱装置を制御しても良い。
【００７８】
この場合は、刃周辺の環境が変った場合でも、加熱した刃の温度を一定に保つことができ、刃の切れ味を持続させることができる。
【００７９】
図１０に電子部品露出装置２０を説明した図７中のＢＢ−ＢＢ断面を示し、カバーテープ押え手段３０を説明する。
【００８０】
例えば、刃を傾斜構造としたために、カバーテープ６を上方に持ち上げる力が発生する場合もあるが、カバーテープ６が浮き上がってキャリアテープ１０より完全に剥離することが無いように、カバーテープ押え装置３０を設けている。
【００８１】
カバーテープ押え装置３０の下面は、舌部３１の上面と同等か、下方に位置し、カバーテープ６が上方に移動することを抑制する。
【００８２】
図１１に電子部品露出装置２０を説明した図７中のＣＣ−ＣＣ断面を示し、カバーテープ開口手段３３を説明する。
【００８３】
図７に示したように、カバーテープ開口装置３３の先端側は、切断されたカバーテープ６の切断部分に挿入されやすいように、先端側以外の部分に比べて幅を狭く、あるいは鋭いエッジにし、カバーテープ６が進入しやすいようにする。
【００８４】
ここで、カバーテープ開口装置３３は、カバーテープ切断手段３２と連続して、あるいは一体的な形状としても良い。
【００８５】
また、分割されたカバーテープ６を押し広げる抵抗力を軽減するために、徐々にカバーテープ６を押し広げる形状（例示としては、搬送方向に従って水平方向の幅が広くなっていくような形状）となっている。
【００８６】
図１１は、カバーテープ６を押し広げて、電子部品を露出させた状態のカバーテープ６とカバーテープ開口手段３３の関係を示している。
【００８７】
図１１に示すように、カバーテープ開口手段３３は、カバーテープ６の分割された端部をガイドしてカバーテープ６を変形させ、かつ、端部が上方あるいは左右方向に進行しないように形状を規定されている。
【００８８】
この形状は例えば、カバーテープ開口手段３３が、図７中のＣＣ−ＣＣ断面において、中央部が端部によりも盛り上がった形状と表現することができる。
【００８９】
その他の例示の表現としては、下側に突出した形状で、端部が中心方向へ向かって湾曲していくような形状と表現することができる。
【実施例３】
【００９０】
図１２に電子部品露出装置２０の構成要素であるカバーテープ開口手段３３で部品供給テープが幅広である場合に対応する構造の一つの例を示す。
【００９１】
シュート７０は、キャリアテープ１０を案内する部材である。
【００９２】
前述したカバーテープ切断装置により切断されたカバーテープ１６は、カバーテープ開口手段３３により押し開かれ、水平方向に対して下方向へ傾斜したカバーテープガイド３３ａ及び３３ｂにガイドされながら、シュート７０とカバーテープ落としガイド７１ａ及び７１ｂとで形成されるカバーテープ落としポケット７２ａ及び７２ｂに導入される。
【００９３】
カバーテープガイド３３ａ及び３３ｂの長さは、切断されるカバーテープの長さに対応して決定することができ、カバーテープガイド３３ａ及び３３ｂの長さは同じであっても、いずれか一方が他方より長くなっても良い。
【００９４】
これにより、カバーテープが電子部品を取出し可能に開口される。
【００９５】
この構造により、切断されたカバーテープ１６がカバーテープ開口手段３３の上に突出することがないので、吸着ノズルとの干渉も発生せず、吸着ノズルの待機高さを高くする必要もない。
【００９６】
また、切断されたカバーテープ１６は、カバーテープ落としポケット７２ａ及び７２ｂ内に格納されるため、隣接する電子部品露出装置２０と干渉することがない。
【実施例４】
【００９７】
図１３に電子部品露出装置２０の構成要素であるカバーテープ切断手段の他の一例を示す。
【００９８】
部品収納テープ１は矢印Ｈが示す方向に移動するものとする。
【００９９】
カバーテープ切断装置３２ａ及び３２ｂは図１３に示すように、部品収納部１３より外側かつ接着部１９より内側に設置され、カバーテープ６を切断するようになっている。
【０１００】
このようにすることで、カバーテープ６の部分のみを切断，排出することができ、排出物の分別が要求される近年おいてはこの方式は特に有利である。
【０１０１】
この時、カバーテープ切断装置３２ａと３２ｂは、部品収納テープが移動する方向にずらして配置されており、それぞれ２箇所でカバーテープ６を切断するようになっている。
【０１０２】
例示の表現としては、カバーテープの第１の部分と前記第１の部分より後ろの第２の部分とを切断すると表現することができる。
【０１０３】
後述するカバーテープ開口手段により切断されたカバーテープ１６の進行方向を矢印Ｊの方向に変更し、部品収納テープの進行する方向と直交する方向（下方）に落とし込むようになっている。
【０１０４】
これにより、部品収納部１３にカバーテープ６が干渉することなく、カバーテープ６を切断できる。
【０１０５】
また、切断されたカバーテープ１６を折り曲げて、下方に落とし込む構造としているため、切断されたカバーテープ１６が吸着ノズルとの干渉も発生せず、吸着ノズルの待機高さを高くする必要もない。
【０１０６】
また、切断されたカバーテープ１６は、隣接する電子部品露出装置２０との間に落とし込むようにするため、隣接する電子部品露出装置２０に影響を与えない。
【０１０７】
図１４は図１３にて図示していなかったカバーテープ開口手段３５ａの構造を示すものである。
【０１０８】
カバーテープ開口手段３５ａは、カバーテープ切断装置３２ａと３２ｂの略先端を結ぶ線（カバーテープを切断する際に形成される形状の一種）に対応するように構成され、この線よりも後ろに配置されている。
【０１０９】
また、カバーテープ開口手段３５ａの高さは、切断されたカバーテープ１６のみを開口するように配置されており、例示の表現としては、少なくとも部品を収納した部分よりも高い位置に配置されていると言うことができる。
【０１１０】
このような構成により、切断されたカバーテープ１６を折り曲げ切断されたカバーテープ１６の進行方向を変えることができる。
【実施例５】
【０１１１】
図１５に電子部品露出装置２０の構成要素であるカバーテープ切断装置の他の一例を示す。
【０１１２】
部品収納テープ１は矢印Ｈが示す方向に移動するものとする。
【０１１３】
カバーテープ切断装置３２ｄ及び３２ｅが図に示すように、部品収納部１３より外側に設置され、また、カバーテープ切断装置３２ｃがカバーテープ６の略中央に配置され、それぞれによりカバーテープ６を切断するようになっている。
【０１１４】
この時、図１５に示すようにカバーテープ切断装置３２ｃと３２ｄ及び３２ｅは、部品収納テープが移動する方向にずらして配置されており、それぞれ３箇所でカバーテープ６を切断するようになっている。
【０１１５】
後述するカバーテープ開口手段により切断されたカバーテープ１６の進行方向を矢印Ｊ１及びＪ２の方向に変更し、部品収納テープの進行する方向と直交する方向（下方）に落とし込むようになっている。
【０１１６】
これにより、部品収納部１３にカバーテープ６が干渉することなく、カバーテープ６を切断できる。
【０１１７】
また、切断されたカバーテープ１６を折り曲げて、下方に落とし込む構造としているため、切断されたカバーテープ１６が吸着ノズルとの干渉も発生せず、吸着ノズルの待機高さを高くする必要もない。
【０１１８】
また、切断されたカバーテープ１６は、隣接する電子部品露出装置２０との間に落とし込むようにするため、隣接する電子部品露出装置２０に影響を与えない。
【０１１９】
図１６は図１５にて図示していなかったカバーテープ開口手段３５ｂの構造を示すものである。
【０１２０】
カバーテープ開口手段３５ｂは、カバーテープ切断装置３２ｃと３２ｄ及び３２ｅの略先端を結ぶ線（カバーテープを切断する際に形成される形状の一種）に対応するように構成され、この線よりも後ろに配置されている。
【０１２１】
また、カバーテープ開口手段３５ｂの高さは、切断されたカバーテープ１６のみを開口するように配置されており、例示の表現としては、少なくとも部品を収納した部分よりも高い位置に配置されていると言うことができる。
【０１２２】
このような構成により、切断されたカバーテープ１６を折り曲げ切断されたカバーテープ１６の進行方向を変えることができる。
【０１２３】
以上説明してきたように、本実施例では、部品収納テープ１を搬送する第１の送り装置と第２の送り装置と、から構成されており、さらに第１の送り装置と第２の送り装置との間に電子部品露出装置を設けていることにより、部品収納テープ１の搬送を安定させ、搬送精度を向上させることが可能である。
【０１２４】
また、電子部品露出装置は、カバーテープを切断して分割するカバーテープ切断装置と、切断して分割されたカバーテープを電子部品がキャリアテープから取出し可能に開口するカバーテープ開口装置と、カバーテープ切断装置にカバーテープを導入する舌部と、舌部に導入されたカバーテープがカバーテープ上面に対して垂直上方に移動しないようにカバーテープを拘束するカバーテープ押え装置と、カバーテープ開口装置により露出させられた電子部品を取出すための部品取出し孔と、を備えることで、カバーテープ送り装置８を不要とすることで、カバーテープ送り装置８に起因する部品収納テープ１の搬送抵抗をなくすことが可能で、搬送精度を向上させることができる。さらに、カバーテープ送り装置８を不要とすることにより部品供給装置の構造を簡単にすることが可能である。
【０１２５】
また、カバーテープ切断装置は、カバーテープの下面より切断力をあたえるよう構成されているため、電子部品を傷つけることなく、電子部品を露出させることが可能である。
【０１２６】
また、カバーテープ開口装置は、カバーテープ切断装置により切断分割されたカバーテープをガイドするカバーテープ案内装置と、を備え、カバーテープの端部を上方あるいは左右方向に突出しない構造としたため、部品吸着装着装置９や、隣接する部品供給装置とカバーテープ６の端部との干渉をさけることが可能となる。
【０１２７】
また、カバーテープ６の切断を複数個所で行うように構成されることで、切断されたカバーテープ６を複数箇所で切断してカバーテープ６を複数に分割することにより、カバーテープ６が部品収納部１３に干渉しないように移動させることが可能となる。
【０１２８】
本発明は、上記実施例に限定されるものではなく、その技術思想の範囲内で種々変形可能であることは言うまでも無い。
【０１２９】
本実施例に開示された内容は、独立して採用することもできる。
【符号の説明】
【０１３０】
１  部品収納テープ
２  収納テープリール
３  送り装置
３ａ  第１の送り装置
４  カッター部
５，１６  切断されたテープ
６  カバーテープ
７，２０  電子部品露出装置
８  カバーテープ送り装置
９  部品吸着装着装置
１０  キャリアテープ
１１  部品取出し孔
１２  カバーテープ剥離部
１３  部品収納部
１４  送り孔
１５  電子部品
１７，１８  カバーテープ端部
１９  接着部
２１  第２の送り装置
３０  カバーテープ押え手段
３１，１０２，１１２  舌部
３２  カバーテープ切断手段
３３  カバーテープ開口手段
３４  部品取出し孔
【図１】
0005487022.tif 000002
【図２】
0005487022.tif 000003
【図３】
0005487022.tif 000004
【図４】
0005487022.tif 000005
【図５】
0005487022.tif 000006
【図６】
0005487022.tif 000007
【図７】
0005487022.tif 000008
【図８】
0005487022.tif 000009
【図９】
0005487022.tif 000010
【図１０】
0005487022.tif 000011
【図１１】
0005487022.tif 000012
【図１２】
0005487022.tif 000013
【図１３】
0005487022.tif 000014
【図１４】
0005487022.tif 000015
【図１５】
0005487022.tif 000016
【図１６】
0005487022.tif 000017